(57)【要約】【課題】管理作業の迅速化、効率化、さらには、確実性の向上を図る管理システムを提供すること。【解決手段】画像取得手段を有する情報処理端末から、管理対象物の識別情報と、画像取得手段にて撮影した管理対象物の画像情報と、の送信を受け付けて、管理対象物の識別情報と画像情報とを関連付けて記憶手段に記憶して管理する管理手段を備えた管理サーバであって、情報処理端末から送信された管理対象物の識別情報に対応する管理対象物の既に登録されている画像情報を記憶手段から抽出して情報処理端末に送信する画像送信手段、を備えた。【選択図】図１
2007233702.tif 000002
【特許請求の範囲】
【請求項１】
管理対象物の識別情報と画像情報とを関連付けて記憶手段に記憶して管理する管理サーバであって、
前記管理対象物の識別情報の入力を受け付けて、この識別情報に対応する管理対象物の既に登録されている画像情報を前記記憶手段から抽出して出力する機能を有する、
ことを特徴とする管理サーバ。
【請求項２】
画像取得手段を有する情報処理端末から、管理対象物の識別情報と、前記画像取得手段にて撮影した前記管理対象物の画像情報と、の送信を受け付けて、前記管理対象物の識別情報と画像情報とを関連付けて記憶手段に記憶して管理する管理手段を備えた管理サーバであって、
前記情報処理端末から送信された前記管理対象物の識別情報に対応する管理対象物の既に登録されている画像情報を前記記憶手段から抽出して前記情報処理端末に送信する画像送信手段、
を備えたことを特徴とする管理サーバ。
【請求項３】
前記情報処理端末から送信された前記管理対象物の識別情報に基づいて前記記憶手段内における前記管理対象物の登録状況を確認する登録状況確認手段を備えると共に、
前記画像送信手段は、前記登録状況確認手段にて既に登録されていると判断された場合に作動する、
ことを特徴とする請求項２記載の管理サーバ。
【請求項４】
画像取得手段を備えると共に、管理対象物の識別情報と、前記画像取得手段にて撮影した前記管理対象物の画像情報と、を管理サーバに送信してこれらを関連付けた登録を依頼する管理情報登録依頼手段を備えた情報処理端末であって、
前記管理対象物の識別情報を入力して前記管理サーバに送信する識別情報入力手段と、この送信した識別情報に対応する前記管理対象物の既に登録されている画像情報を前記管理サーバから受信して表示する画像情報受信手段と、を備えた、
ことを特徴とする情報処理端末。
【請求項５】
前記識別情報入力手段は、前記管理対象物に表示された識別情報を撮影し、当該撮影画像から前記識別情報を認識する画像認識手段を備えた、ことを特徴とする請求項４記載の情報処理端末。
【請求項６】
前記画像認識手段は、前記撮像画像に含まれる文字情報を認識する、ことを特徴とする請求項５記載の情報処理端末。
【請求項７】
前記画像認識手段は、前記撮像画像に含まれるバーコード情報を認識する、ことを特徴とする請求項５記載の情報処理端末。
【請求項８】
画像取得手段を備えた情報処理端末と、この情報処理端末にネットワークを介して接続された管理サーバと、を備え、
前記情報処理端末が、管理対象物の識別情報と、前記画像取得手段にて撮影した前記管理対象物の画像情報と、を前記管理サーバに送信して登録を依頼する管理対象物登録依頼手段を備えると共に、
前記管理サーバが、前記情報処理端末から受け付けた前記管理対象物の識別情報と画像情報とを関連付けて記憶手段に記憶して管理する管理手段を備えた、管理システムであって、
前記管理サーバは、前記情報処理端末から送信された前記管理対象物の識別情報に基づいて前記記憶手段内における前記管理対象物の登録状況を確認する登録状況確認手段と、既に登録されている場合に登録されている画像情報を前記記憶手段から抽出して前記情報処理端末に送信する画像送信手段と、を備えた、
ことを特徴とする管理システム。
【請求項９】
請求項１乃至３記載の前記管理サーバと、請求項４乃至７記載の前記情報処理端末と、を備えたことを特徴とする管理システム。
【請求項１０】
情報処理端末に接続される管理サーバに、
画像取得手段を有する情報処理端末から、管理対象物の識別情報と、前記画像取得手段にて撮影した前記管理対象物の画像情報と、の送信を受け付けて、前記管理対象物の識別情報と画像情報とを関連付けて記憶手段に記憶して管理する管理手段と、
前記情報処理端末から送信された前記管理対象物の識別情報に対応する管理対象物の既に登録されている画像情報を前記記憶手段から抽出して前記情報処理端末に送信する画像送信手段と、
を実現するためのプログラム。
【請求項１１】
管理対象物の管理を行う管理サーバに接続される情報処理端末であって、
管理対象物の識別情報と、装備された画像取得手段にて撮影した前記管理対象物の画像情報と、を管理サーバに送信してこれらを関連付けた登録を依頼する管理情報登録依頼手段と、
前記管理対象物の識別情報を入力して前記管理サーバに送信する識別情報入力手段と、
この送信した識別情報に対応する前記管理対象物の既に登録されている画像情報を前記管理サーバから受信して表示する画像情報受信手段と、
を実現するためのプログラム。
【請求項１２】
管理サーバが入力された管理対象物の識別情報と画像情報とを関連付けて記憶手段に記憶して管理する工程を有すると共に、
この工程の後に、前記管理サーバが、前記管理対象物の識別情報の入力を受け付けて、この識別情報に対応する管理対象物の既に登録されている画像情報を前記記憶手段から抽出して出力する工程を有する、
ことを特徴とする管理方法。
【請求項１３】
画像取得手段を備えた情報処理端末と、この情報処理端末にネットワークを介して接続された管理サーバと、を備えた管理方法であって、
前記情報処理端末が、管理対象物の識別情報と、前記画像取得手段にて撮影した前記管理対象物の画像情報と、を前記管理サーバに送信して登録を依頼する管理対象物登録依頼工程と、
前記管理サーバが、前記情報処理端末から受け付けた前記管理対象物の識別情報と画像情報とを関連付けて記憶手段に記憶して管理する管理工程と、を有すると共に、
前記管理工程の後に、前記管理サーバが、前記情報処理端末から送信された前記管理対象物の識別情報に基づいて前記記憶手段内における前記管理対象物の登録状況を確認する登録状況確認工程と、既に登録されている場合に登録されている画像情報を前記記憶手段から抽出して前記情報処理端末に送信する画像送信工程と、を有する、
ことを特徴とする管理方法。
【発明の詳細な説明】
【技術分野】
【０００１】
本発明は、管理システムにかかり、特に、管理対象物を撮影した画像情報を利用する管理システムに関する。
【背景技術】
【０００２】
企業内においては、パソコンやサーバコンピュータ、机や椅子といった資産の管理が必要とされる。その管理手法としては、例えば、紙などの媒体に人間が管理対象物の型番を書き込み、その後、情報処理端末に入力する、という手法が採られている。しかし、かかる管理手法では、記述漏れやリビジョン間違いが発生する可能性があった。
【０００３】
また、パソコンなどの構成に変更があったときに、情報の不足が発生する問題点があった。つまり、過去の構成を確認するための情報が欠けている場合が生じ、変更点を確認することが困難な場合が生じうる。さらには、管理対象物の以前の外観がわからないため構成の変化に気が付かなかったり、管理対象物の取り違いが発生しうる。つまり、過去の管理対象物と視覚的に確認できないことから、適切な管理が困難である、という問題が生じていた。
【０００４】
【特許文献１】特開２００５−８４７１３号公報
【発明の開示】
【発明が解決しようとする課題】
【０００５】
ここで、上記特許文献１には、デジタルカメラで、管理対象物に付されたバーコード情報を読み取ると共に、管理対象物自体を撮影し、上記バーコード情報と撮影した画像情報とを関連付けて、コンピュータ端末に送信して管理する、というシステムが開示されている。
【０００６】
しかしながら、上記特許文献１に開示されているシステムでは、管理対象物を新たに管理する際に利用するシステムであって、登録された画像データは管理報告書などを作成する際に利用される。従って、管理対象物の構成に変更があり、デジタルカメラにて管理対象物の変更に関する内容を登録する際には、当該デジタルカメラにて変更点などを参照することができない、という問題が生じる。つまり、画像データはコンピュータ端末内で管理されているのみであるため、管理対象物が配置されている現場で過去の構成と比較する場合には、一度、紙媒体などに出力しなければならず、手間や資源の無駄が生じる。そして、このことは、管理作業の迅速化、効率化の妨げとなる、という問題が生じる。
【０００７】
このため、本発明では、上記従来例の有する不都合を改善し、特に、管理作業の迅速化、効率化、さらには、確実性の向上を図ること、をその目的とする。
【課題を解決するための手段】
【０００８】
そこで、本発明の一形態である管理サーバは、
管理対象物の識別情報と画像情報とを関連付けて記憶手段に記憶して管理する管理サーバであって、
管理対象物の識別情報の入力を受け付けて、この識別情報に対応する管理対象物の既に登録されている画像情報を記憶手段から抽出して出力する機能を有する、
ことを特徴としている。
【０００９】
より具体的な構成として、
画像取得手段を有する情報処理端末から、管理対象物の識別情報と、画像取得手段にて撮影した管理対象物の画像情報と、の送信を受け付けて、管理対象物の識別情報と画像情報とを関連付けて記憶手段に記憶して管理する管理手段を備えた管理サーバであって、
情報処理端末から送信された管理対象物の識別情報に対応する管理対象物の既に登録されている画像情報を記憶手段から抽出して情報処理端末に送信する画像送信手段、
を備えたことを特徴としている。
【００１０】
そして、情報処理端末から送信された管理対象物の識別情報に基づいて記憶手段内における管理対象物の登録状況を確認する登録状況確認手段を備えると共に、
画像送信手段は、登録状況確認手段にて既に登録されていると判断された場合に作動する、
ことを特徴としている。
【００１１】
上記発明によると、まず、情報処理端末にて管理対象物の情報を登録する際には、その識別情報と画像情報とが管理サーバに送信される。すると、管理サーバでは、識別情報と画像情報とを関連付けて、特定の管理対象物の情報として記憶手段に記憶する。その後、情報処理端末にて、管理対象物の識別情報が送信されると、管理サーバは既に登録されているか否かを調べ、既登録である場合には、その管理対象物について過去に登録された画像情報を抽出して、情報処理端末に送信される。従って、情報処理端末では、管理対象物の過去の画像を見て変更点の有無を確認することができるため、変更点の見過ごし、つまり、変更点の登録漏れを抑制することができ、管理精度の向上を図ることができる。
【００１２】
また、本発明の他の形態である情報処理端末は、
画像取得手段を備えると共に、管理対象物の識別情報と、画像取得手段にて撮影した管理対象物の画像情報と、を管理サーバに送信してこれらを関連付けた登録を依頼する管理情報登録依頼手段を備えた情報処理端末であって、
管理対象物の識別情報を入力して管理サーバに送信する識別情報入力手段と、この送信した識別情報に対応する管理対象物の既に登録されている画像情報を管理サーバから受信して表示する画像情報受信手段と、を備えた、
ことを特徴としている。
【００１３】
そして、識別情報入力手段は、管理対象物に表示された識別情報を撮影し、当該撮影画像から識別情報を認識する画像認識手段を備えた、ことを特徴としている。このとき、画像認識手段は、撮像画像に含まれる文字情報やバーコード情報を認識する、ことを特徴としている。これにより、情報処理端末からは管理対象物の識別情報が画像認識によって入力されるため、入力ミスを抑制することができ、管理の正確性が向上しうる。
【００１４】
また、本発明の他の形態である管理システムは、
画像取得手段を備えた情報処理端末と、この情報処理端末にネットワークを介して接続された管理サーバと、を備え、
情報処理端末が、管理対象物の識別情報と、画像取得手段にて撮影した管理対象物の画像情報と、を管理サーバに送信して登録を依頼する管理対象物登録依頼手段を備えると共に、
管理サーバが、情報処理端末から受け付けた管理対象物の識別情報と画像情報とを関連付けて記憶手段に記憶して管理する管理手段を備えた、管理システムであって、
管理サーバは、情報処理端末から送信された管理対象物の識別情報に基づいて記憶手段内における管理対象物の登録状況を確認する登録状況確認手段と、既に登録されている場合に登録されている画像情報を記憶手段から抽出して情報処理端末に送信する画像送信手段と、を備えた、ことを特徴としている。
【００１５】
また、本発明の他の形態であるプログラムは、
情報処理端末に接続される管理サーバに、
画像取得手段を有する情報処理端末から、管理対象物の識別情報と、画像取得手段にて撮影した管理対象物の画像情報と、の送信を受け付けて、管理対象物の識別情報と画像情報とを関連付けて記憶手段に記憶して管理する管理手段と、
情報処理端末から送信された管理対象物の識別情報に対応する管理対象物の既に登録されている画像情報を記憶手段から抽出して情報処理端末に送信する画像送信手段と、
を実現するためのプログラムである。
【００１６】
さらに、本発明の他の形態であるプログラムは、
管理対象物の管理を行う管理サーバに接続される情報処理端末であって、
管理対象物の識別情報と、装備された画像取得手段にて撮影した管理対象物の画像情報と、を管理サーバに送信してこれらを関連付けた登録を依頼する管理情報登録依頼手段と、
管理対象物の識別情報を入力して管理サーバに送信する識別情報入力手段と、この送信した識別情報に対応する管理対象物の既に登録されている画像情報を管理サーバから受信して表示する画像情報受信手段と、
を実現するためのプログラムである。
【００１７】
また、本発明の他の形態である管理方法は、
管理サーバが入力された管理対象物の識別情報と画像情報とを関連付けて記憶手段に記憶して管理する工程を有すると共に、
この工程の後に、管理サーバが、管理対象物の識別情報の入力を受け付けて、この識別情報に対応する管理対象物の既に登録されている画像情報を記憶手段から抽出して出力する工程を有する、
ことを特徴としている。
【００１８】
さらに、具体的には、
画像取得手段を備えた情報処理端末と、この情報処理端末にネットワークを介して接続された管理サーバと、を備えた管理方法であって、
情報処理端末が、管理対象物の識別情報と、画像取得手段にて撮影した管理対象物の画像情報と、を管理サーバに送信して登録を依頼する管理対象物登録依頼工程と、
管理サーバが、情報処理端末から受け付けた管理対象物の識別情報と画像情報とを関連付けて記憶手段に記憶して管理する管理工程と、を有すると共に、
管理工程の後に、管理サーバが、情報処理端末から送信された管理対象物の識別情報に基づいて記憶手段内における管理対象物の登録状況を確認する登録状況確認工程と、既に登録されている場合に登録されている画像情報を記憶手段から抽出して情報処理端末に送信する画像送信工程と、を有する、
ことを特徴としている。
【００１９】
上述したように管理システム、プログラム、管理方法を構成した場合であっても、上記管理サーバと同様に作用するため、上述した本発明の目的を達成することができる。
【発明の効果】
【００２０】
本発明は、以上のように構成され機能するので、これによると、情報処理端末にて管理対象物の識別情報が送信されると、管理サーバは既に登録されているか否かを調べ、既登録である場合には、その管理対象物について過去に登録された画像情報を抽出して、情報処理端末に送信する。従って、情報処理端末では、管理対象物の過去の画像を見て変更点の有無を確認することができるため、変更点の見過ごし、つまり、変更点の登録漏れを抑制することができ、管理状況の信頼性の向上を図ることができると共に、管理作業の迅速化及び効率化を図ることができる、という従来にない優れた効果を有する。
【発明を実施するための最良の形態】
【００２１】
本発明における管理システムでは、管理対象物を管理すべくその構成などを登録する際に、既に登録されている画像情報を表示し、視覚的に変更点を確認できる、ということに特徴を有する。また、管理対象物の識別情報が表された文字列やバーコードをカメラにより読み取り直接入力できるため、入力間違いを抑制できる、という点にも特徴を有する。
【００２２】
以下、実施例では、管理対象物の管理情報を入力する情報処理端末の一例としてカメラ付き携帯電話を挙げて説明するが、かかる端末に限定されず、ＰＤＡやデジタルカメラなどの管理サーバに接続可能な他の端末であってもよい。あるいは、携帯電話等を用いずに、登録する際に管理サーバに直接、管理対象物の情報を入力してもよい。また、管理対象物の一例として、パーソナルコンピュータを挙げて説明するが、これに限定されず、デスクや椅子などの会社内における資産などであってもよい。
【実施例１】
【００２３】
本発明の第１の実施例を、図１乃至図５を参照して説明する。図１は、本発明の全体構成を示す図である。図２は、管理サーバの構成を、図３は、携帯電話の構成を示す機能ブロック図である。図４乃至図５は、本発明の動作を示す図である。
【００２４】
［構成］
本発明である管理システムは、管理対象物３に関する管理データを管理する管理サーバ１と、これにインターネットなどのネットワークＮを介して接続可能であり、管理対象物３の識別情報や画像を取得してこれを管理サーバ１に送信する携帯電話２と、を備えている。以下、各装置について詳述する。
【００２５】
管理サーバ１は、一般的なサーバコンピュータであり、ＣＰＵなどの演算装置１Ａと、ハードディスクなどの記憶装置１Ｂと、ネットワークＮへの接続を可能とする通信装置１Ｃと、を備えている。そして、図２に示すように、演算装置１Ａには、所定のプログラムが組み込まれることにより、通信処理部１１と、管理処理部１２と、過去画像抽出処理部１３と、が構築されている。
【００２６】
通信処理部１１は、後述する携帯電話２上で作動するアプリケーションと通信し、管理対象物３の識別情報や画像情報などの管理データを受信したり、後述するように記憶装置１Ｂに蓄積されている管理対象物３の過去の画像を携帯電話２に送信する機能を有する。また、管理処理部１２と情報のやり取りを行う。
【００２７】
管理処理部１２は、上述した通信処理部１１にて携帯電話２から受信した管理対象物３の識別情報と画像情報とを関連付けて記憶装置１Ｂ（記憶手段）内に形成された管理データ記憶部１４に記憶して、管理対象物３に関する情報を管理する機能を有する。また、管理対象物３の周辺機器など構成を追加する情報を携帯電話２から受信した際には、かかる構成情報を管理データ記憶部１４内に登録する機能を有する。このとき、既に登録されている管理データとマッチングを行い、構成の追加の有無などを判断する機能を有する。
【００２８】
さらに、管理処理部１２は、携帯電話２から通信処理部１１を介して識別情報を受信した際に、この識別情報に基づいて、当該識別情報に対応する管理対象物が、管理データ記憶部１４内における既に登録されているか否か、といった登録状況を確認する。つまり、登録状況確認手段としても作動する。そして、既に登録されていると判断された場合には、過去画像抽出処理部１３に通知する。
【００２９】
過去画像抽出処理部１３（画像送信手段）は、識別情報をキーにして、該当する管理対象物３の過去の画像情報を抽出し、この画像情報を、管理処理部１２と協働して携帯電話２に送信する。なお、この過去画像抽出処理部１３は、管理対象物３の管理データの入力が管理サーバ１に直接行われている場合には、抽出した画像情報を管理サーバ１のディスプレイに出力するよう作動してもよい。
【００３０】
次に、携帯電話２の構成について図３を参照して説明する。この図に示すように、携帯電話２は、画像取得手段であるカメラ部２Ｄを装備した携帯電話である。その他の構成は、一般的な携帯電話と同様であり、ＣＰＵなどの演算部２Ａと、フラッシュメモリなどの記憶部２Ｂと、通話やパケット通信を実現するために無線通信を行う通信部２Ｃと、操作部２Ｅと、表示部２Ｆと、を備えている。そして、演算部２Ａには、所定のアプリケーションプログラムが組み込まれることにより、通信処理部２１と、撮像処理部２２と、画像認識処理部２３と、が構築されている。
【００３１】
通信処理部２１は、ネットワークＮを介して上述した管理サーバ１と通信するよう作動する。具体的には、カメラ部２Ｄにて撮影した画像から認識した管理対象物３の識別情報や、管理対象物３を撮影した画像情報を、管理サーバ１に送信して、上述したようにこれらを関連付けて登録するよう依頼する機能（管理情報登録依頼手段）を有する。このとき、後述するように、画像認識処理部２３と協働して、当該画像認識処理部２３にて認識された管理対象物３の識別情報のみを管理サーバ１に送信する機能も有する。また、管理サーバ１から送信された画像情報を受信して、表示部２Ｆに表示する機能（画像情報受信手段）も有する。さらには、管理サーバ１に対して新たに登録する構成情報などを送信して、構成の追加を依頼する機能をも有する。
【００３２】
撮像処理部２２は、カメラ部２Ｄを用いて画像を取り込む機能を有する。例えば、管理対象物３を新たに管理する場合や、構成に変更があり管理データを更新する場合に撮影し、上述したように通信処理部２１を介して管理サーバ１に送信する。また、管理対象物３の識別情報の入力を行う際には、当該管理対象物に付された文字列やバーコードを撮影し、画像認識処理部２３に渡す機能を有する。
【００３３】
画像認識処理部２３（画像認識手段）は、画像情報として撮影した文字列やバーコードの中から、識別情報を表す情報を予め組み込まれた画像処理アルゴリズムにて認識する。そして、認識された識別情報を、通信処理部２１を介して管理サーバ１に送信する。このように、撮像処理部２２と画像認識処理部２３と通信処理部２１とは、協働して、管理対象物３の識別情報を入力して管理サーバ１に送信する識別情報入力手段として作動する。なお、識別情報は、必ずしも管理対象物３に付された文字列やバーコードから携帯電話２に入力することに限定されず、操作部２Ｅから入力してもよく、その他の手法にて入力してもよい。
【００３４】
［動作］
次に、本発明の動作について、図４乃至図５を参照して説明する。図４は、上述した管理システム全体の動作を示すシーケンス図であり、図５は、その一部における管理サーバの動作を示すフローチャートである。
【００３５】
まず、コンピュータなどの管理対象物３の管理者は、管理に用いる端末である携帯電話２の管理用アプリケーションを起動し、インターネットＮを介して管理サーバ１に接続する（ステップＳ１）。なお、インターネット接続は、携帯電話２の機能を利用し、ログイン用のIDやPWはアプリケーション側で用意する。
【００３６】
次に、携帯電話２のカメラ部２Ｄで、管理対象物３であるコンピュータ本体の型番部分の文字列（またはバーコード）を撮影して（ステップＳ２）、画像認識により識別情報を認識する（ステップＳ３）。そして、この識別番号を管理サーバ１に送信する（ステップＳ４）。
【００３７】
すると、管理サーバ１では、受信した識別情報である本体の型番をキーとして構成を管理し、IDと紐付けることによりコンピュータが所属する場所の確認を行う。次に、管理サーバ１では、識別情報を用いて、かかる識別情報の管理対象物３に関する情報がすでに登録されているか否かを確認する（ステップＳ５）。そして、登録されていなければ「新規」、既存なら「変更」として処理し、携帯電話２のアプリケーションに返答する。このとき、既に管理データが登録されている管理対象物３に対しては、過去に登録された管理対象物３が撮像された画像情報を管理データ内から抽出して、これを携帯電話２のアプリケーションに送信する（ステップＳ６）。
【００３８】
そして、管理サーバ１から新規か変更かの通知を受けた携帯電話２では、カメラ部２Ｄで、管理対象物３の全体像を撮影し、かかる現在の画像を管理サーバ１に登録してもらうよう送信する（ステップＳ７）。これを受けて、管理サーバ１では、識別情報と画像情報とを関連付けて、管理データとして記憶する（ステップＳ８）。つまり、「新規」の場合には、新たに管理データを生成して登録し、「更新」の場合には、識別情報に関連付けられた画像情報を現在のものに更新して登録する。
【００３９】
ここで、上述したステップＳ５〜Ｓ８までにおける管理サーバ１の動作を、図５のフローチャートを参照してさらに詳述する。まず、上述したように、携帯電話２が管理対象物３の識別情報を送信し、これを受信すると（ステップＳ２１）、この管理対象物３が既に登録されているか否かを調べる（ステップＳ２２）。そして、登録されていない場合には（ステップＳ２２にて否定判断）、新規登録である旨を携帯電話２に通知する（ステップＳ２３）。その後、これに応じて携帯電話２が管理対象物３の画像情報を送信するが、かかる画像情報を受信して（ステップＳ２６）、識別情報と関連付けて、管理データとして新規に登録する（ステップＳ２７）。このように、まず、携帯電話２が新規に管理対象物３の管理データの登録を依頼し（管理対象物登録依頼工程）、これにより、かかる管理対象物３の管理データが管理サーバ１に登録されることとなる（管理工程）。
【００４０】
その後、既に登録した管理対象物３の構成が変化するなどして、管理者が管理データの更新を行う際には、再度、携帯電話２から識別情報が送信され、これが管理サーバ１にて受信される（ステップＳ２１）。すると、今度は、管理サーバ１にて登録されていると判断されるため（ステップＳ２２にて肯定判断、登録状況確認工程）、その管理対象物３の既に登録されている過去画像を抽出する（ステップＳ２４）。そして、管理サーバ１は、携帯電話２に対して、管理データの変更である旨と、抽出した過去画像を携帯電話２に送信する（ステップＳ２５、画像送信工程）。その後は、これに応じて携帯電話２にて管理対象物３の画像情報が送信されるため、かかる画像情報を受信して（ステップＳ２６）、識別情報と関連付けて、管理データとして更新して登録する（ステップＳ２７）。
【００４１】
続いて、図４のステップＳ７以降に戻り、携帯電話２にて管理対象物３の過去の画像情報を管理サーバ１から受信すると、携帯電話２は、過去の画像を表示部に表示し（ステップＳ９）、管理者は、管理対象物３の現在の構成と比較する（ステップＳ１０）。そして、管理対象物３の構成に間違いや変化がないか確認する。このとき、ステップＳ７で撮影した管理対象物３の現在の画像を携帯電話２に表示して、現在と過去の画像同士を比較してもよい。
【００４２】
続いて、管理者は、携帯電話２のアプリケーションで、操作部２Ｅから登録したい周辺機器の情報を選択入力し、携帯電話２のカメラ部２Ｄで登録したい周辺機器の型番またはバーコードを撮影して読み取り、登録する。登録した情報は、まとめて管理サーバ１に送信される（ステップＳ１１）。
【００４３】
次に、管理サーバ１では、受信した周辺機器に関する情報を既に登録されている管理データと統合し（ステップＳ１２）、すでに登録されているものであれば確認済みとし、新規のものであれば追加とする（ステップＳ１３）。そして、読み込まれた型番から、詳細情報や画像等を付加し、まとめた情報は携帯電話２のアプリケーションに回答する（ステップＳ１４）。
【００４４】
次に、携帯電話２のアプリケーションでは、登録した構成を画像および文字列から確認し、構成から外れているきものは削除し、確定情報を管理サーバ１に送信する（ステップＳ１５）。最後に、管理サーバ１で最新の状態を確定して登録する（ステップＳ１６）。
【００４５】
このようにすることにより、携帯電話２のカメラを用いて管理対象物３の構成の管理を行い、その画像登録時には、管理サーバ１から過去の画像が送信され携帯電話２に表示されるため、画像で過去の構成と比較することができ、変更点の見過ごし、つまり、変更点の登録漏れを抑制することができ、管理の確実性の向上を図ることができる。また、携帯電話のカメラを用いて管理対象物３の識別情報が表された文字列やバーコードを読み取って管理サーバ１に送信するため、入力ミスを抑制することができ、さらなる管理の正確性が向上しうる。
【産業上の利用可能性】
【００４６】
本発明は、企業におけるＰＣやサーバ、机や椅子といった資産の管理といった用途に適用することができ、産業上の利用可能性を有する。
【図面の簡単な説明】
【００４７】
【図１】本発明である管理システムの全体構成を示す図である。
【図２】図１に開示した管理サーバの構成を示す機能ブロック図である。
【図３】図１に開示した携帯電話の構成を示す機能ブロック図である。
【図４】管理システム全体の動作を示すシーケンス図である。
【図５】管理サーバの動作の一部を示すフローチャートである。
【符号の説明】
【００４８】
１  管理サーバ
２  携帯電話
３  管理対象物
１１  通信処理部
１２  管理処理部
１３  過去画像抽出処理部
１４  管理データ記憶部
２１  通信処理部
２２  撮像処理部
２３  画像認識処理部
２Ｄ  カメラ部
【図１】
2007233702.tif 000003
【図２】
2007233702.tif 000004
【図３】
2007233702.tif 000005
【図４】
2007233702.tif 000006
【図５】
2007233702.tif 000007